(57)【特許請求の範囲】
【請求項１】
シャワーホースを垂直方向に出し入れできる垂直部の下端側から横方向に導かれたシャワーホースの全長の約半分を横方向にほぼ直線状に収納できるホースガイドを備え、該ホースガイドの前記シャワーホースが接触する底面に摺動性の高いテープを貼着したことを特徴とするシャワーホース収納構造。
【請求項２】
シャワーホースを垂直方向に出し入れできる垂直部の下端側から横方向に導かれたシャワーホースの全長の約半分を横方向にほぼ直線状に収納できるホースガイドを備え、該ホースガイドの底面に前記シャワーホースが線接触される直線状部を設けたことを特徴とするシャワーホース収納構造。
【請求項３】
シャワーホースを垂直方向に出し入れできる垂直部の下端側から横方向に導かれたシャワーホースの全長の約半分を横方向にほぼ直線状に収納できるホースガイドを備え、該ホースガイドの底面に前記シャワーホースの直径よりも狭い溝を設け、該溝に前記シャワーホースが線接触されるように構成したことを特徴とするシャワーホース収納構造。
【発明の詳細な説明】
【技術分野】
【０００１】
本発明は、シャワーホースを収納するシャワーホース収納構造に関するものである。
【背景技術】
【０００２】
従来、特許文献１に開示されているように、垂直方向にシャワーホースを出し入れし、滑らしながら横方向にシャワーホースを導くことのできるシャワーホース収納構造が存在する。
【特許文献１】特開平９−１７７１５１号公報
【発明の開示】
【発明が解決しようとする課題】
【０００３】
上記従来のようなシャワーホース収納構造においては、シャワーホースと接触部との間に表面張力による水が残り、摺動性が悪化してシャワーホースの出し入れがしにくくなるという問題点があった。
【課題を解決するための手段】
【０００４】
本発明は上記従来の問題点に鑑み案出したものであって、シャワーホースの出し入れがしやすくなるシャワーホース収納構造を提供せんとするものであり、その請求項１は、シャワーホースを垂直方向に出し入れできる垂直部の下端側から横方向に導かれたシャワーホースの全長の約半分を横方向にほぼ直線状に収納できるホースガイドを備え、該ホースガイドの前記シャワーホースが接触する底面に摺動性の高いテープを貼着したことである。
【０００５】
また、請求項２は、シャワーホースを垂直方向に出し入れできる垂直部の下端側から横方向に導かれたシャワーホースの全長の約半分を横方向にほぼ直線状に収納できるホースガイドを備え、該ホースガイドの底面に前記シャワーホースが線接触される直線状部を設けたことである。
【０００６】
また、請求項３は、シャワーホースを垂直方向に出し入れできる垂直部の下端側から横方向に導かれたシャワーホースの全長の約半分を横方向にほぼ直線状に収納できるホースガイドを備え、該ホースガイドの底面に前記シャワーホースの直径よりも狭い溝を設け、該溝に前記シャワーホースが線接触されるように構成したことである。
【発明の効果】
【０００７】
本発明のシャワーホース収納構造は、シャワーホースを横方向にほぼ直線状に収納できるホースガイドの、シャワーホースが接触する底面に摺動性の高いテープを貼着したことにより、シャワーホースとホースガイドの底面との摩擦抵抗が低減されるため、シャワーホースをホースガイドに良好に摺動させることができ、シャワーホースの出し入れがしやすいものとなる。
【０００８】
また、シャワーホースを横方向にほぼ直線状に収納できるホースガイドの底面にシャワーホースが線接触される直線状部を設けたことにより、シャワーホースとホースガイドが直線状部を介在させて線接触となるため接触面積が少なくなり、シャワーホースの摺動性が良くなる。また、シャワーホースの表面の水の表面張力が切れやすく流れ落ちやすいものとなり、シャワーホースの出し入れがしやすいものとなる。
【０００９】
また、シャワーホースを横方向にほぼ直線状に収納できるホースガイドの底面にシャワーホースの直径よりも狭い溝を設け、溝にシャワーホースが線接触されるように構成したことにより、シャワーホースとホースガイドの接触が線接触となり、ホースガイドに水が残りにくくなり、シャワーホースの出し入れがしやすいものとなる。
【実施例】
【００１０】
以下、本発明の実施例を図面に基づいて説明する。
図１は、浴室内に設置された横長鏡の正面構成図であり、この浴室用横長鏡１は、前面に左鏡１ａと右鏡１ｂが設けられ、この鏡１ａ，１ｂの裏側にシャワーホースを収納できるように構成されており、左鏡１ａと右鏡１ｂの境目にはシャワーホース２を掛止できるシャワーフック３が設けられて、このシャワーフック３から下方側に向かって垂直部４が形成され、この垂直部４内にシャワーホース２を垂直方向に出し入れできるように構成されている。
【００１１】
この垂直部４の下端側からシャワーホース２を横方向に導き収納することのできるホースガイド５が左鏡１ａの裏側に横方向に設けられており、このホースガイド５は図２に示すように、シャワーホース２の全長の約半分を横方向にほぼ直線状に収納できるＵ字状のＵ字ガイド溝５ａを上面に備え、このホースガイド５のＵ字ガイド溝５ａは垂直部４の反対側に向かって下傾した傾斜状に形成されている。
なお、図中６は、シャワーホース２が最小屈曲サイズ以上の半径で止まるように設けられたホースストッパーである。
【００１２】
図３は、このホースガイド５の第１実施例を示すものであり、ホースガイド５の上面にＵ字状に形成されているＵ字ガイド溝５ａの底面に、超高分子量ポリエチレンフィルムで構成されたテープ７がほぼ全長に亘り貼着されたものとなっており、このテープ７は、つるつるの表面であり、このテープ７上を摺動するシャワーホース２との摩擦抵抗を極めて低減させることができ、シャワーホース２を出し入れする際に良好にこのテープ７上をシャワーホース２が摺動して、シャワーホース２の摺動移動が円滑に行なわれ、シャワーホース２の出し入れがしやすいものとなる。
【００１３】
次に、図４および図５で示すものは、ホースガイドの第２実施例であり、図４は、図５のＡ−Ａ線断面図であり、図５は、図４のＢ−Ｂ線断面図である。
本例では、ホースガイド５のＵ字ガイド溝５ａの底面５ｂに、幅方向に間隔をおいて２本の直線状部８ａ，８ｂを上方へ突出させたものであり、この直線状部８ａ，８ｂは、平行状に長手方向のほぼ全長に亘りＵ字ガイド溝５ａの底面５ｂに設けられ、直線状部８ａ，８ｂのそれぞれの上端は鋭角に形成されて、シャワーホース２との接触が線接触となるように構成されている。
【００１４】
なお、この直線状部８ａ，８ｂは、ホースガイド５と一体で形成したものであっても良いが、例えば、高摺動性の別部材からなる直線状部８ａ，８ｂをＵ字ガイド溝５ａの底面５ｂに貼着等して固定させたものであっても良い。
このような構成では、シャワーホース２は直線状部８ａ，８ｂと線接触となり、接触面積が減り、摩擦抵抗が低減され、しかも、シャワーホース２の表面の水の表面張力が切れやすく流れ落ちやすいものとなり、水はＵ字ガイド溝５ａの傾斜に沿って末端に導かれることとなり、シャワーホース２の出し入れがしやすいものとなる。
【００１５】
次に、図６の要部拡大斜視図で、また図７の断面構成図で示すものは、ホースガイド５の第３実施例であり、図６および図７では、ホースガイド５のＵ字ガイド溝５ａの底面５ｂに下方側へ貫通する溝９を長手方向全長に亘って形成したものである。
この溝９は、底面５ｂからアール部５ｃを介して下方側へ垂設された垂下片５ｄ，５ｄ間に形成されたものであり、この垂下片５ｄ，５ｄ間に形成される溝９の幅長ｄは、シャワーホース２の直径よりも狭い寸法に設定されており、また、シャワーホース２がＵ字ガイド溝５ａの底面５ｂに摺接する際に線接触となるように前記アール部５ｃ，５ｃのアール形状が設定されている。
【００１６】
このような構成では、シャワーホース２はアール部５ｃ，５ｃに線接触で接触し、摺動抵抗が少なくなるため、シャワーホース２を良好に摺動させることができるものとなり、また、線接触であることにより残り水の表面張力が切れやすくなり、水は下方へ流れ落ちやすいものとなり、溝９を通して水を良好に下方側へ排出させることができ、よりシャワーホース２の出し入れをスムーズに行なうことができるものとなる。
【図面の簡単な説明】
【００１７】
【図１】浴室用横長鏡の内側にシャワーホースを収納した状態の正面構成図である。
【図２】図１の内部構成部材の斜視構成図である。
【図３】ホースガイドの第１実施例の側面構成図である。
【図４】ホースガイドの第２実施例の図５のＡ−Ａ線断面構成図である。
【図５】図４のＢ−Ｂ線断面構成図である。
【図６】ホースガイドの第３実施例を示す要部拡大斜視構成図である。
【図７】図６の縦断面拡大構成図である。
【符号の説明】
【００１８】
１  浴室用横長鏡
２  シャワーホース
３  シャワーフック
４  垂直部
５  ホースガイド
５ａ  Ｕ字ガイド溝
５ｂ  底面
５ｃ  アール部
５ｄ  垂下片
６  ホースストッパー
７  テープ
８ａ，８ｂ  直線状部
９  溝
【図１】
0004619232.tif 000002
【図２】
0004619232.tif 000003
【図３】
0004619232.tif 000004
【図４】
0004619232.tif 000005
【図５】
0004619232.tif 000006
【図６】
0004619232.tif 000007
【図７】
0004619232.tif 000008